(57)【要約】【課題】接続不良の発生を抑制し、導通信頼性に優れ、しかも耐久性が良好な接合体及びその製造方法の提供。【解決手段】本発明の接合体の製造方法は、基板上に形成された第一の電極領域上に、異方性導電フィルムを、その一端が前記基板の面取部内側端よりも前記基板の外側へ向けて突出した状態、及び前記面取部内側端に位置した状態のいずれかで配置した後、配線材上に形成され、かつその一部がレジスト層に被覆されたレジスト領域と、前記レジスト層に被覆されていない第二の電極領域とを有する配線板における、前記第二の電極領域との境界に位置する前記レジスト領域の端部を、前記面取部上に配置する位置決め工程と、前記配線材側から前記異方性導電フィルムを加熱及び加圧し、溶融させて前記レジスト領域側へ流動させることにより、前記第二の電極領域を被覆し、前記第一の電極領域と前記第二の電極領域とを電気的に接続する電極接続工程とを含む。【選択図】図２
2010199527.tif 000002
【特許請求の範囲】
【請求項１】
異方性導電フィルムを介して、基板と配線材とが接続されてなる接合体の製造方法であって、
前記基板上に形成された第一の電極領域上に、前記異方性導電フィルムを、その一端が前記基板の面取部内側端よりも前記基板の外側へ向けて突出した状態、及び前記面取部内側端に位置した状態のいずれかで配置した後、
前記配線材上に形成され、かつその一部がレジスト層に被覆されたレジスト領域と、前記レジスト層に被覆されていない第二の電極領域とを有する配線板における、前記第二の電極領域との境界に位置する前記レジスト領域の端部を、前記基板の面取部上に配置する位置決め工程と、
前記配線材側から前記異方性導電フィルムを加熱及び加圧し、該異方性導電フィルムを溶融させて前記レジスト領域側へ流動させることにより、前記第二の電極領域を被覆し、前記第一の電極領域と前記第二の電極領域とを電気的に接続する電極接続工程と、
を少なくとも含むことを特徴とする接合体の製造方法。
【請求項２】
位置決め工程が、異方性導電フィルムの一端と、第二の電極領域との境界に位置するレジスト領域の端部とに間隙を設け、前記第二の電極領域に配線露出部を形成する請求項１に記載の接合体の製造方法。
【請求項３】
異方性導電フィルムにおける、基板の面取部内側端からの突出幅が、該異方性導電フィルムの幅の０％〜５０％である請求項１から２のいずれかに記載の接合体の製造方法。
【請求項４】
異方性導電フィルムの最低溶融粘度が、５．０×１０１Ｐａ・ｓ〜１．０×１０５Ｐａ・ｓであり、厚みが、第一の電極領域における端子及び第二の電極領域における端子の合計高さの１２０％〜４００％である請求項１から３のいずれかに記載の接合体の製造方法。
【請求項５】
異方性導電フィルムが、絶縁性樹脂を含む絶縁層と、前記絶縁性樹脂及び導電性粒子を含む導電層とを有してなり、
前記絶縁層の最低溶融粘度が、５．０×１０１Ｐａ・ｓ〜１．０×１０５Ｐａ・ｓであり、前記導電層の最低溶融粘度が、前記絶縁層の最低溶融粘度よりも１０倍以上大きい請求項１から３のいずれかに記載の接合体の製造方法。
【請求項６】
異方性導電フィルムを介して、基板と配線材とが接続されてなる接合体であって、
前記基板上に形成された第一の電極領域上に、前記異方性導電フィルムを、その一端が前記基板の面取部内側端から前記基板の外側へ向けて突出した状態で有し、
前記配線材上に形成され、かつその一部がレジスト層に被覆されたレジスト領域と、前記レジスト層に被覆されていない第二の電極領域とを有する配線板における、前記第二の電極領域との境界に位置する前記レジスト領域の端部を、前記基板の面取部上に有し、
前記第二の電極領域が前記異方性導電フィルムで被覆されてなることを特徴とする接合体。
【発明の詳細な説明】
【技術分野】
【０００１】
本発明は、異方性導電フィルムを介して、基板と配線材とが接続されてなる接合体及びその製造方法に関する。
【背景技術】
【０００２】
従来より、ＬＣＤパネル、ＰＤＰパネル等の基板と、ＦＰＣ、ＣＯＦ、ＴＣＰ等の配線材とを、異方性導電フィルムを用いて接続する際、前記配線材に形成されたレジスト層の位置によっては、前記配線材における配線が、剥き出し状態で存在することがある。この状態で、前記配線材を折り曲げて使用すると、断線したり、剥き出し状態の配線部に、コンタミ（ゴミ）等が入り込んで、ショートが発生するという問題があった。
この問題を解決するため、例えば、封止剤を用いて、前記剥き出し状態の配線部を保護する方法が提案されているが、封止用の装置が別途必要となる他、コストがかかるため、一般的には使用されていないのが現状である。
【０００３】
これに対し、例えば、特許文献１には、ＦＰＣにおける絶縁保護層（レジスト層）を、表示パネルの内側まで潜り込ませて圧着することにより、剥き出した配線を保護して断線を防止する方法が提案されており、一部のパネル製造メーカーで実用化されている。
しかし、この技術においては、前記絶縁保護層が、前記表示パネルの内側に入り込むことにより、異方性導電接着剤の流動が塞き止められ、ショートが発生したり、前記絶縁保護層の存在により、圧着時に、接続部を充分に加圧することができず、接続不良が発生してしまうという問題があった。
【０００４】
また、特許文献２には、ＴＡＢ部品のソルダーレジスト部まで、ＡＣＦテープを延長して貼り付けることにより、ＴＡＢ部品の配線露出部を被覆する方法が提案されている。
しかし、この技術においては、表示パネルとＴＡＢ部品との接続部からはみ出したＡＣＦテープには、ヒートツールからの熱が伝わり難く、ＡＣＦテープが完全未硬化状態となるため、折曲げ等の耐久性に劣るという問題があった。
【先行技術文献】
【特許文献】
【０００５】
【特許文献１】特開２００２−３５８０２６号公報
【特許文献２】特開２００３−６６４７９号公報
【発明の概要】
【発明が解決しようとする課題】
【０００６】
本発明は、従来における前記諸問題を解決し、以下の目的を達成することを課題とする。即ち、本発明は、接続不良の発生を抑制し、導通信頼性に優れ、しかも耐久性が良好な接合体及びその製造方法を提供することを目的とする。
【課題を解決するための手段】
【０００７】
前記課題を解決するための手段としては、以下の通りである。即ち、
＜１＞  異方性導電フィルムを介して、基板と配線材とが接続されてなる接合体の製造方法であって、
基板上に形成された第一の電極領域上に、前記異方性導電フィルムを、その一端が前記基板の面取部内側端よりも前記基板の外側へ向けて突出した状態、及び前記面取部内側端に位置した状態のいずれかで配置した後、
前記配線材上に形成され、かつその一部がレジスト層に被覆されたレジスト領域と、前記レジスト層に被覆されていない第二の電極領域とを有する配線板における、前記第二の電極領域との境界に位置する前記レジスト領域の端部を、前記基板の面取部上に配置する位置決め工程と、
前記配線材側から前記異方性導電フィルムを加熱及び加圧し、該異方性導電フィルムを溶融させて前記レジスト領域側へ流動させることにより、前記第二の電極領域を被覆し、前記第一の電極領域と前記第二の電極領域とを電気的に接続する電極接続工程と、
を少なくとも含むことを特徴とする接合体の製造方法である。
＜２＞  位置決め工程が、異方性導電フィルムの一端と、第二の電極領域との境界に位置するレジスト領域の端部とに間隙を設け、前記第二の電極領域に配線露出部を形成する前記＜１＞に記載の接合体の製造方法である。
＜３＞  異方性導電フィルムにおける、基板の面取部内側端からの突出幅が、該異方性導電フィルムの幅の０％〜５０％である前記＜１＞から＜２＞のいずれかに記載の接合体の製造方法である。
＜４＞  異方性導電フィルムの最低溶融粘度が、５．０×１０１Ｐａ・ｓ〜１．０×１０５Ｐａ・ｓであり、厚みが、第一の電極領域における端子及び第二の電極領域における端子の合計高さの１２０％〜４００％である前記＜１＞から＜３＞のいずれかに記載の接合体の製造方法である。
＜５＞  異方性導電フィルムが、絶縁性樹脂を含む絶縁層と、前記絶縁性樹脂及び導電性粒子を含む導電層とを有してなり、
前記絶縁層の最低溶融粘度が、５．０×１０１Ｐａ・ｓ〜１．０×１０５Ｐａ・ｓであり、前記導電層の最低溶融粘度が、前記絶縁層の最低溶融粘度よりも１０倍以上大きい前記＜１＞から＜３＞のいずれかに記載の接合体の製造方法である。
＜６＞  異方性導電フィルムを介して、基板と配線材とが接続されてなる接合体であって、
基板上に形成された第一の電極領域上に、前記異方性導電フィルムを、その一端が前記基板の面取部内側端から前記基板の外側へ向けて突出した状態で有し、
前記配線材上に形成され、かつその一部がレジスト層に被覆されたレジスト領域と、前記レジスト層に被覆されていない第二の電極領域とを有する配線板における、前記第二の電極領域との境界に位置する前記レジスト領域の端部を、前記基板の面取部上に有し、
前記第二の電極領域が前記異方性導電フィルムで被覆されてなることを特徴とする接合体である。
【発明の効果】
【０００８】
本発明によると、従来における前記諸問題を解決でき、接続不良の発生を抑制し、導通信頼性に優れ、しかも耐久性が良好な接合体及びその製造方法を提供することができる。
【図面の簡単な説明】
【０００９】
【図１Ａ】図１Ａは、本発明の接合体の製造方法における、位置決め工程による位置関係の一例を示す概略図（その１）である。
【図１Ｂ】図１Ｂは、本発明の接合体の製造方法における、位置決め工程による位置関係の一例を示す概略図（その２）である。
【図１Ｃ】図１Ｃは、本発明の接合体の製造方法における、位置決め工程による位置関係の一例を示す概略図（その３）である。
【図２】図２は、本発明の接合体の製造方法により製造された接合体の一例を示す概略図である。
【図３Ａ】図３Ａは、圧着前位置関係Ｚ１を示す概略図である。
【図３Ｂ】図３Ｂは、圧着前位置関係Ｚ２を示す概略図である。
【図３Ｃ】図３Ｃは、圧着前位置関係Ｚ３を示す概略図である。
【図３Ｄ】図３Ｄは、圧着前位置関係Ｚ４を示す概略図である。
【図３Ｅ】図３Ｅは、圧着前位置関係Ｚ５を示す概略図である。
【図３Ｆ】図３Ｆは、圧着前位置関係Ｚ６を示す概略図である。
【図３Ｇ】図３Ｇは、圧着前位置関係Ｚ７を示す概略図である。
【図４Ａ】図４Ａは、圧着後位置関係Ｚ１を示す概略図である。
【図４Ｂ】図４Ｂは、圧着後位置関係Ｚ２を示す概略図である。
【図４Ｃ】図４Ｃは、圧着後位置関係Ｚ３を示す概略図である。
【図４Ｄ】図４Ｄは、圧着後位置関係Ｚ４を示す概略図である。
【図４Ｅ】図４Ｅは、圧着後位置関係Ｚ５を示す概略図である。
【図４Ｆ】図４Ｆは、圧着後位置関係Ｚ６を示す概略図である。
【図４Ｇ】図４Ｇは、圧着後位置関係Ｚ７を示す概略図である。
【図５Ａ】図５Ａは、圧着後位置関係がＺ１である接合体の断面写真である。
【図５Ｂ】図５Ｂは、圧着後位置関係がＺ２である接合体の断面写真である。
【図５Ｃ】図５Ｃは、圧着後位置関係がＺ４である接合体の断面写真である。
【図５Ｄ】図５Ｄは、圧着後位置関係がＺ５である接合体の断面写真である。
【発明を実施するための形態】
【００１０】
（接合体の製造方法）
本発明の接合体の製造方法は、異方性導電フィルムを介して、基板と配線材とが接続されてなる接合体の製造方法であって、位置決め工程と、電極接続工程とを少なくとも含み、更に必要に応じて適宜選択した、その他の工程を含む。
【００１１】
＜位置決め工程＞
前記位置決め工程は、基板上に形成された第一の電極領域上に、前記異方性導電フィルムを、その一端が前記基板の面取部内側端よりも前記基板の外側へ向けて突出した状態、及び前記面取部内側端に位置した状態のいずれかで配置した後、
前記配線材上に形成され、かつその一部がレジスト層で被覆されたレジスト領域と、前記レジスト層で被覆されていない第二の電極領域とを有する配線板における、前記第二の電極領域との境界に位置する前記レジスト領域の端部を、前記基板の面取部上に配置する工程である。
【００１２】
−基板−
前記基板としては、特に制限はなく、目的に応じて適宜選択することができ、例えば、ガラス製のＬＣＤ基板（ＬＣＤパネル）、ガラス製のＰＤＰ基板（ＰＤＰパネル）、ガラス製の有機ＥＬ基板（有機ＥＬパネル）などが挙げられる。
前記基板には、その縁に沿って面取りが施されており、面取部内側端から面取部外側端（前記基板の外縁）へ向けて、エッジを有している。
また、前記基板には、前記面取部内側端よりも前記基板の内側に、第一の電極領域が形成されている。
【００１３】
−配線材−
前記配線材としては、特に制限はなく、目的に応じて適宜選択することができ、例えば、ＦＰＣ、ＣＯＦ、ＴＣＰなどが挙げられる。
前記配線材には、その片面に、配線板が形成されている。
前記配線板は、レジスト領域と第二の電極領域とを有してなり、前記レジスト領域は、前記配線板の一部であって、該配線板がレジスト層（例えば、ソルダーレジスト層）で被覆された領域であり、前記第二の電極領域は、前記配線板における前記レジスト層で被覆されていない領域である。
【００１４】
−異方性導電フィルム−
前記異方性導電フィルムは、その構造、大きさ、厚みなどについては、特に制限はなく、目的に応じて適宜選択することができる。
前記構造としては、単層構造であってもよいし、積層構造であってもよい。
【００１５】
前記異方性導電フィルムが単層構造である場合、該異方性導電フィルムは、導電性粒子を含有する絶縁性樹脂層からなる。
前記導電性粒子としては、特に制限はなく、従来の異方性導電接着剤に用いられているものを利用することができ、例えば、粒子の直径が１〜５０μｍの金属粒子又は金属被覆樹脂粒子を使用することができる。
前記金属粒子としては、ニッケル、コバルト、銅等が挙げられる。それらの表面酸化を防ぐ目的で、表面に金、パラジウムをコーティングした粒子を用いてもよい。さらに、表面に金属突起や有機物で絶縁皮膜を施したものを用いてもよい。
前記金属被覆樹脂粒子としては、ニッケル、コバルト、銅等の１種以上でメッキを施した真球状の粒子が挙げられる。同様に、最外表面に金、パラジウムをコーティングした粒子を用いてもよい。さらに、表面に金属突起や有機物で絶縁皮膜を施したものを用いてもよい。
【００１６】
前記絶縁性樹脂層における絶縁性樹脂としては、特に制限はなく、目的に応じて適宜選択することができ、例えば、エポキシ樹脂、アクリル樹脂などが挙げられる。
前記エポキシ樹脂としては、特に制限はなく、目的に応じて適宜選択することができ、例えば、ビスフェノールＡ型エポキシ樹脂、ビスフェノールＦ型エポキシ樹脂、ノボラック型エポキシ樹脂などが挙げられる。これらは、１種単独で使用してもよいし、２種以上を併用してもよい。
前記アクリル樹脂としては、特に制限はなく、目的に応じて適宜選択することができ、例えば、メチルアクリレート、エチルアクリレート、イソプロピルアクリレート、イソブチルアクリレート、エポキシアクリレート、エチレングリコールジアクリレート、ジエチレングリコールジアクリレート、トリメチロールプロパントリアクリレート、ジメチロールトリシクロデカンジアクリレート、テトラメチレングリコールテトラアクリレート、２−ヒドロキシ−１，３−ジアクリロキシプロパン、２，２−ビス[４−（アクリロキシメトキシ）フェニル]プロパン、２，２−ビス[４−（アクリロキシエトキシ）フェニル]プロパン、ジシクロペンテニルアクリレート、トリシクロデカニルアクリレート、トリス（アクリロキシエチル）イソシアヌレート、ウレタンアクリレートなどが挙げられる。これらは、１種単独で使用してもよいし、２種以上を併用してもよい。
また、前記アクリレートをメタクリレートにしたものが挙げられ、これらは、１種単独で使用してもよいし、２種以上を併用してもよい。
また、前記エポキシ樹脂及び前記アクリル樹脂には、必要に応じて、フェノキシ樹脂、ポリウレタン樹脂、ポリエステル樹脂等の熱可塑性樹脂を含んでいていもよい。
【００１７】
また、前記エポキシ樹脂及び前記アクリル樹脂には、それぞれの樹脂に適応した硬化剤が使用される。
前記エポキシ樹脂に使用される硬化剤としては、特に制限はなく、目的に応じて適宜選択することができ、例えば、イミダゾール、トリエチルアミン等の有機アミン類に代表されるアニオン系硬化剤、オニウム塩、スルホニウム塩、アルミニウムキレート剤、有機酸等に代表されるカチオン系硬化剤が挙げられる。
前記アクリル樹脂に使用される硬化剤としては、特に制限はなく、目的に応じて適宜選択することができ、例えば、ジクミルパーオキサイド、ｔ−ブチルパーオキサイド、ジラウロイルパーオキサイド、ジベンゾイルパーオキサイド等の有機過酸化物、及びそれらの誘導体が挙げられる。
前記絶縁性樹脂の硬化方法としては、熱硬化あるいは光硬化を適宜選択することができる。
【００１８】
前記異方性導電フィルムが単層構造である場合、その最低溶融粘度が、５．０×１０１〜１．０×１０５Ｐａ・ｓであるのが好ましく、１．０×１０２〜１．０×１０４Ｐａ・ｓがより好ましい。
前記最低溶融粘度が、５．０×１０１Ｐａ・ｓ未満であると、前記異方性導電フィルムをリールに巻き取ったリール状の製品を製造した場合に、巻締まりにより、前記異方性導電フィルムがはみ出してブロッキングを生ずることがあり、１．０×１０５Ｐａ・ｓを超えると、加熱及び加圧により、前記基板と前記配線材とを接続する際、前記異方性導電フィルムを充分に排除することができず、接続不具合が発生することがある。
前記最低溶融粘度は、例えば、溶融粘度計（「ＨＡＡＫＥ  ＲｈｅｏＳｔｒｅｓｓ  ＲＳ−１５０」；Ｔｈｅｒｍｏ  Ｆｉｓｈｅｒ  Ｓｃｉｅｎｔｉｆｉｃ社製）を用いて測定することができ、その測定条件としては、例えば、昇温速度１０℃／ｍｉｎ、周波数１Ｈｚ、加圧力１Ｎ、及び測定温度３０〜１８０℃で行うことができる。
【００１９】
また、前記厚みとしては、前記第一の電極領域における端子及び前記第二の電極領域における端子の合計高さの１２０〜４００％が好ましく、１５０〜３００％がより好ましい。
前記厚みが、前記合計高さの１２０％未満であると、前記基板及び前記配線材の端子間に、前記異方性導電フィルムを充分に充填することができないことがあり、４００％を超えると、加熱及び加圧により、前記基板と前記配線材とを接続する際、前記異方性導電フィルムを充分に排除することができず、接続不具合が発生したり、前記配線材を押し込むまでにズレが生じて、ミスアライメントが発生することがある。
【００２０】
前記異方性導電フィルムが積層構造である場合、該異方性導電フィルムは、絶縁性樹脂を含む絶縁層と、絶縁性樹脂及び導電性粒子を含む導電層とを少なくとも有するのが好ましい。この場合、前記導電性粒子を含まない前記絶縁層で、配線露出部を被覆するので、ショートの発生を抑制することができる。
前記絶縁層における前記絶縁性樹脂としては、特に制限はなく、目的に応じて適宜選択することができ、前記異方性導電フィルムが単層構造である場合と同様のものを使用することができる。
前記絶縁層の最低溶融粘度としては、特に制限はなく、目的に応じて適宜選択することができるが、５．０×１０１〜１．０×１０５Ｐａ・ｓが好ましく、１．０×１０２〜４．０×１０４Ｐａ・ｓがより好ましい。
前記最低溶融粘度が、５．０×１０１Ｐａ・ｓ未満であると、前記異方性導電フィルムをリールに巻き取ったリール状の製品を製造した場合に、巻締まりにより、前記異方性導電フィルムがはみ出してブロッキングを生ずることがあり、１．０×１０５Ｐａ・ｓを超えると、加熱及び加圧により、前記基板と前記配線材とを接続する際、前記異方性導電フィルムを充分に排除することができず、接続不具合が発生することがある。
【００２１】
前記導電層における、前記絶縁性樹脂及び前記導電性粒子としては、特に制限はなく、目的に応じて適宜選択することができ、例えば、前記異方性導電性フィルムが単層構造である場合と同様のものを使用することができる。
前記導電層の最低溶融粘度としては、特に制限はなく、目的に応じて適宜選択することができるが、前記絶縁層の最低溶融粘度よりも大きいことが好ましく、１０倍以上大きいことがより好ましい。
前記導電層の最低溶融粘度が、前記絶縁層の最低溶融粘度の１０倍以上であると、前記導電性粒子の流動を抑制することができ、粒子詰まりによるショートの発生を低減することができる。
【００２２】
前記絶縁層及び前記導電層の厚みとしては、特に制限はなく、目的に応じて適宜選択することができるが、これらの厚みの和（総厚み）が、前記第一の電極領域における端子及び前記第二の電極領域における端子の合計高さの１２０〜４００％であるのが好ましく、１５０〜３００％がより好ましい。
前記総厚みが、前記合計高さの１２０％未満であると、前記基板及び前記配線材の端子間に、前記異方性導電フィルムを充分に充填することができないことがあり、４００％を超えると、加熱及び加圧により、前記基板と前記配線材とを接続する際、前記異方性導電フィルムを充分に排除することができず、接続不具合が発生したり、前記配線材を押し込むまでにズレが生じて、ミスアライメントが発生することがある。
【００２３】
ここで、前記位置決め工程において決定される、前記基板、前記異方性導電フィルム、及び前記配線材の位置関係の一例を、図面を用いて説明する。
図１Ａ及び図１Ｂに示すように、まず、基板１０上に形成された第一の電極領域１２上に、異方性導電フィルム２０を、その一端（Ｂ）が、基板１０の面取部内側端（Ａ）よりも基板１０の外側へ向けて突出した状態で配置する。次いで、配線材３０に形成された配線板３２における、レジスト層３４により被覆されたレジスト領域３２Ａと、レジスト層３４に被覆されていない第二の電極領域３２Ｂとの境界に位置する、レジスト領域３２Ａの端部（Ｃ）を、基板１０の面取部上（面取部内側端（Ａ）から面取部外側端（Ｄ）の間）に配置する。
その結果、図１Ａでは、図１Ａ中、左側から、基板の面取部内側端（Ａ）、レジスト領域３２Ａの端部（Ｃ）、異方性導電フィルム２０の一端（Ｂ）、及び基板の面取部外側端（Ｄ）の順に配置される。なお、図１Ａの態様においては、ＢとＤとの位置を入れ替え、Ａ、Ｃ、Ｄ、及びＢの順に配置してもよい。
また、図１Ｂでは、図１Ｂ中、左側から、基板の面取部内側端（Ａ）、異方性導電フィルム２０の一端（Ｂ）、レジスト領域３２Ａの端部（Ｃ）、及び基板の面取部外側端（Ｄ）の順に配置される。
【００２４】
前記異方性導電フィルムにおける、前記基板の面取部内側端からの突出幅としては、特に制限はなく、目的に応じて適宜選択することができるが、前記異方性導電フィルムの幅の０〜５０％が好ましく、０〜３０％がより好ましい。
前記突出幅が０％未満、即ち、前記異方性導電フィルムの一端が、前記基板の面取部内側端よりも内側に位置する場合には、前記基板と前記配線材との接合後の前記異方性導電フィルムのはみ出しが、前記配線板におけるレジスト層まで届かず、前記第二の電極領域（配線露出部）を保護することができないことがある。一方、前記突出幅が、５０％を超えると、前記基板に前記異方性導電フィルムを充分に貼り付けることができないことがある。
【００２５】
また、図１Ｃに示すように、基板１０上に形成された第一の電極領域１２上に、異方性導電フィルム２０を、その一端（Ｂ）が、基板１０の面取部内側端（Ａ）に位置した状態で配置してもよい。この場合、図１Ｃ中、左側から、基板の面取部内側端（Ａ）と異方性導電フィルム２０の一端（Ｂ）とが同じ位置に、そしてレジスト領域３２Ａの端部（Ｃ）、及び基板の面取部外側端（Ｄ）の順に配置される。
【００２６】
更に、前記位置決め工程は、前記異方性導電フィルムの一端と、前記第二の電極領域との境界に位置するレジスト領域の端部とに間隙を設け、前記第二の電極領域に配線露出部を形成してもよい。即ち、図１Ｂ及び図１Ｃに示すように、異方性導電フィルム２０の一端（Ｂ）と、レジスト領域３２Ａの端部（Ｃ）とが離間して配置されることにより、第二の電極領域３２Ｂとに間隙が生じ、配線露出部Ｎが形成される。この場合、前記異方性導電フィルムの上面にレジスト層が配置されないので、後述する電極接続工程において、異方性導電フィルムを充分に加圧することができ、接続不良の発生を抑制することができる点で、有利である。
なお、電極接続工程において、加熱及び加圧された異方性導電フィルム２０が、溶融してレジスト領域３２Ａ側へ流動し、レジスト層３４の下側に入り込むことにより、前記配線露出部Ｎは、異方性導電フィルム２０により被覆される。
【００２７】
＜電極接続工程＞
前記電極接続工程は、前記配線材側から前記異方性導電フィルムを加熱及び加圧し、該異方性導電フィルムを溶融させて前記レジスト領域側へ流動させることにより、前記第二の電極領域を被覆し、前記第一の電極領域と前記第二の電極領域とを電気的に接続する工程である。
【００２８】
前記加熱は、前記絶縁性樹脂や前記硬化剤の種類によって異なり、一般的には、接続時間１０秒間以下、圧力２〜６ＭＰａで行われる。
【００２９】
前記電極接続工程により、前記異方性導電フィルムが加熱及び加圧されると、前記異方性導電フィルムが溶融して前記レジスト領域側へ流動し、前記第二の電極領域が完全に被覆される。その結果、前記第一の電極領域と前記第二の電極領域とが電気的に接続され、前記基板と前記配線材とが接続される。
ここで、前記電極接続工程後の状態の一例を、図面を用いて説明する。
図２に示すように、前記電極接続工程において、加熱及び加圧された異方性導電フィルム２０が溶融し、レジスト領域３２Ａ側へ流動し、レジスト層３４の下側へ入り込む。その結果、第二の電極領域３２Ｂが完全に被覆されて、配線露出部が存在せず、異物（コンタミ）の混入によるショートの発生が防止される。
【００３０】
（接合体）
本発明の接合体は、異方性導電フィルムを介して、基板と配線材とが接続されてなる接合体であって、基板上に形成された第一の電極領域上に、前記異方性導電フィルムを、その一端が前記基板の面取部内側端から前記基板の外側へ向けて突出した状態で有し、
前記配線材上に形成され、かつその一部がレジスト層に被覆されたレジスト領域と、前記レジスト層に被覆されていない第二の電極領域とを有する配線板における、前記第二の電極領域との境界に位置する前記レジスト領域の端部を、前記基板の面取部上に有し、前記第二の電極領域が前記異方性導電フィルムで被覆されてなる。
なお、前記基板、前記配線材、及び前記基板などの詳細については、上述した通りである。
【００３１】
本発明の前記接合体においては、図２に示すように、レジスト領域３２Ａの端部（Ｃ）が、基板の面取部上（面取部内側端（Ａ）から面取部外側端（Ｄ）の間）に位置する。このため、導通信頼性が高く、折曲げ強度等の耐久性にも優れる。
即ち、レジスト領域３２Ａの端部（Ｃ）が、面取部内側端（Ａ）よりも、基板１０の内側に位置する場合、前記接合体の製造時において、レジスト層３４の存在により、異方性導電フィルム２０を充分に加圧することができず、接続不良が発生する原因となることがある。また、レジスト領域３２Ａの端部（Ｃ）が、基板の面取部外側端（Ｄ）よりも、外側に位置する場合、異方性導電フィルム２０も、それに合わせて基板１０の外側に突出させて接合するが、このとき、基板１０の外側に位置する異方性導電フィルム２０には、ヒートツールの熱が伝わらないため、完全未硬化状態となり、折曲げ等の耐久性に劣ることがある。
【実施例】
【００３２】
以下、実施例及び比較例を挙げて本発明をより具体的に説明するが、本発明は下記実施例に何ら限定されるものではない。
【００３３】
（製造例１〜５：異方性導電フィルムＴ１〜Ｔ５）
フェノキシ樹脂（「ＰＫＨＣ」；巴工業社製）５０質量部、ラジカル重合性樹脂（「ＥＢ−６００」；ダイセル・サイテック社製）４５質量部、シランカップリング剤（「ＫＢＭ−５０３」；信越化学工業社製）２質量部、増粘剤として疎水性シリカ（「ＡＥＲＯＳＩＬ９７２」；ＥＶＯＮＩＫ社製）３質量部、及び反応開始剤（「パーヘキサＣ」；日本油脂社製）３質量部を含む接着剤中に、導電性粒子（「ＡＵＬ７０４」；積水化学工業社製）を、粒子密度が５，０００個/ｍｍ２となるよう分散させて、これを成形し、それぞれ厚みが、８μｍ、１０μｍ、１５μｍ、３０μｍ、及び３５μｍの異方性導電フィルムＴ１〜Ｔ５を得た。
【００３４】
（製造例６〜８：異方性導電フィルムＶ１〜Ｖ３）
フェノキシ樹脂（「ＰＫＨＣ」；巴工業社製）５０質量部、ラジカル重合性樹脂（「ＥＢ−６００」；ダイセル・サイテック社製）４５質量部、シランカップリング剤（「ＫＢＭ−５０３」；信越化学工業社製）２質量部、及び反応開始剤（「パーヘキサＣ」；日本油脂社製）３質量部を含む接着剤に、増粘剤として疎水性シリカ（「ＡＥＲＯＳＩＬ９７２」；ＥＶＯＮＩＫ社製）を、それぞれ０質量部、６質量部、及び９質量部添加し、導電性粒子（「ＡＵＬ７０４」；積水化学工業社製）を、粒子密度が５,０００個/ｍｍ２となるよう分散させて、厚み１５μｍの異方性導電フィルムＶ１〜Ｖ３を得た。
【００３５】
（製造例９：二層構造の異方性導電フィルムＤ１）
製造例１において、前記導電性粒子を添加しないで、厚み１０μｍに成形した絶縁層（ＮＣＦ）と、製造例７で調製した、疎水性シリカを６質量部含有する接着剤を、厚み５μｍに成形した導電層（ＡＣＦ）とを、ラミネータを用いて貼り合わせて、厚み１５μｍの二層構造の異方性導電フィルムＤ１を得た。
【００３６】
−溶融粘度の測定−
得られた異方性導電フィルムＴ１〜Ｔ５、Ｖ１〜Ｖ３、及びＤ１について、溶融粘度を測定した。
まず、各異方性導電フィルムを重ね合わせて、厚み３００μｍのシートを作製した。次いで、得られたシートについて、溶融粘度計（「ＨＡＡＫＥ  ＲｈｅｏＳｔｒｅｓｓ  ＲＳ−１５０」；Ｔｈｅｒｍｏ  Ｆｉｓｈｅｒ  Ｓｃｉｅｎｔｉｆｉｃ社製）を用いて、昇温速度１０℃／ｍｉｎ、周波数１Ｈｚ、加圧力１Ｎ、及び測定温度範囲３０〜１８０℃の条件で、溶融粘度を測定した。結果を表１に示す。
【００３７】
次いで、前記異方性導電フィルムＴ１〜Ｔ５、Ｖ１〜Ｖ３、及びＤ１について、１．５ｍｍ幅にスリットし、５０Ｍ及び１００Ｍに巻き取った製品を、それぞれ作製した。
【００３８】
−はみ出し試験−
得られた１００Ｍリール品に、常温環境下にて、５０ｇの重りをぶら下げて、異方性導電フィルムの膜強度試験を行った。そして、２４時間経過後に、リールから異方性導電フィルムを最後まで引き出すことができたものを「ＯＫ」とし、途中で巻き締まりによる異方性導電フィルムのはみ出しにより、正常に引き出すことができなかったものを「ＮＧ」とし、下記基準に基づいて評価した。結果を表１に示す。
〔評価基準〕
◎：１００Ｍ品及び５０Ｍ品のいずれも「ＯＫ」である。
○：１００Ｍ品は「ＮＧ」であるが、５０Ｍ品は「ＯＫ」である。
【００３９】
次に、ＩＴＯコーティングガラス、ＣＯＦ、及び異方性導電フィルムの位置関係を、Ｚ１〜Ｚ７に従って、接合体を製造した。
前記位置関係Ｚ１〜Ｚ７においては、ＩＴＯコーティングガラスとＣＯＦとの圧着前において、ＩＴＯコーティングガラスの面取部内側端（Ａ）、異方性導電フィルムの一端（Ｂ）、ＣＯＦにおけるソルダーレジスト領域の端部（Ｃ）、及びＩＴＯコーティングガラスの面取部外側端（Ｄ）が、図中、左側から以下の順に位置する。
〔圧着前位置関係〕
Ｚ１（比較例；図３Ａ）：Ｂ、Ａ、Ｃ、Ｄ
Ｚ２（実施例；図３Ｂ）：Ａ、Ｃ、Ｂ、Ｄ
Ｚ３（実施例；図３Ｃ）：Ａ、Ｂ、Ｃ、Ｄ
Ｚ４（比較例；図３Ｄ）：Ｃ、Ａ、Ｂ、Ｄ
Ｚ５（比較例；図３Ｅ）：Ａ、Ｂ、Ｄ、Ｃ
Ｚ６（実施例；図３Ｆ）：Ａ＝Ｂ、Ｃ、Ｄ
Ｚ７（比較例；図３Ｇ）：Ａ、Ｄ、Ｃ、Ｂ
【００４０】
（実施例１）
−接合体の作製−
前記基板としてのＩＴＯコーティングガラス（評価用基材、全表面ＩＴＯコート、ガラス厚０．７ｍｍ、面取り０．３ｍｍ、端子高さ４，０００Å（０．４μｍ）と、前記配線材としてのＣＯＦ（評価用基材、５０μｍＰ、Ｃｕ８μｍｔ（端子高さ８μｍ）−Ｓｎメッキ、ソルダーレジスト：ＰＩ系、ＰＩ３８μｍｔ−Ｓ’ｐｅｒｆｌｅｘ基材）との接合を行った。
まず、前記位置関係Ｚ３（図３Ｃ参照）に従い、基板１０としてのＩＴＯコーティングガラス上に、異方性導電フィルム２０として、１．５ｍｍ幅にスリットされた、異方性導電フィルムＴ２〜Ｔ５、Ｖ１〜Ｖ２、及びＤ１をそれぞれ仮貼りし、その上に配線材３０としてのＣＯＦを仮固定した（前記位置決め工程）。
【００４１】
次いで、ヒートツール１．５ｍｍ幅で、緩衝材１００μｍｔテフロン（登録商標）を用いて、１９０℃、４ＭＰａ、１０秒間の条件で、ＣＯＦ３０側から異方性導電フィルム２０を加熱及び加圧した。そして、異方性導電フィルム２０を溶融させて、レジスト領域３２Ａ側へ流動させ、第二の電極領域３２Ｂを被覆し、第一の電極領域１２と第二の電極領域３２Ｂとを電気的に接続し（前記電極接続工程）、接合体を得た。
【００４２】
（比較例１）
−接合体の作製−
実施例１において、異方性導電フィルムとして、製造例１で得られた異方性導電フィルムＴ１及びＶ３を用いた以外は、実施例１と同様にして、接合体を作製した。
【００４３】
（実施例２及び比較例２）
異方性導電フィルムＴ３を用い、前記位置関係Ｚ１〜Ｚ７に従って、ＩＴＯコーティングガラス、ＣＯＦ、及び異方性導電フィルムＴ３の位置関係を変えた以外は、実施例１と同様にして、接合体を作製した。
【００４４】
得られた接合体について、ＩＴＯコーティングガラスとＣＯＦとの圧着後における、ＩＴＯコーティングガラスの面取部内側端（Ａ）、異方性導電フィルムの一端（Ｂ）、ＣＯＦにおけるソルダーレジスト領域の端部（Ｃ）、及びＩＴＯコーティングガラスの面取部外側端（Ｄ）の位置関係を確認し、下記位置関係（図中、左側からの配置順）に基づいて評価した。結果を表１及び表２に示す。
〔圧着後位置関係〕
Ｚ１（比較例；図４Ａ）：Ｂ、Ａ、Ｃ、Ｄ
Ｚ２（実施例；図４Ｂ）：Ａ、Ｃ、Ｂ、Ｄ
Ｚ３（比較例；図４Ｃ）：Ａ、Ｂ、Ｃ、Ｄ
Ｚ４（比較例；図４Ｄ）：Ｃ、Ａ、Ｂ、Ｄ
Ｚ５（比較例；図４Ｅ）：Ａ、Ｂ、Ｄ、Ｃ
Ｚ６（比較例；図４Ｆ）：Ａ＝Ｂ、Ｃ、Ｄ
Ｚ７（比較例；図４Ｇ）：Ａ、Ｄ、Ｃ、Ｂ
【００４５】
−導通抵抗試験−
得られた各接合体について、デジタルマルチメータ（「デジタルメルチメータ７５５５」；横河電機社製）を用いて、４端子法にて電流１ｍＡを流したときの導通抵抗値を測定した。結果を表１及び表２に示す。
【００４６】
−ショート試験−
実施例１〜２及び比較例１〜２において、ＩＴＯコーティングガラスを、素ガラス（評価用基材、ガラス厚０．７ｍｍ、面取り０．３ｍｍ）に、それぞれ変えて接合体を作製した。
得られた接合体における素ガラスの面取部に、粒子径０．２μｍのＮｉ粉末を振りかけ、ペンシルシェイカーで３０秒間振動を与えた後、端子間に１５Ｖの電圧を印加し、絶縁抵抗を測定し、下記基準に基づいて評価した。結果を表１及び表２に示す。
〔評価基準〕
○：ショート（短絡）未発生
×：ショート発生
【００４７】
−折曲げ試験−
実施例２及び比較例２で作製した各接合体について、ＣＯＦにおけるソルダーレジストが、ガラス背面に回り込むように、１８０°折り曲げた状態にて、ＣＯＦを固定した。
次いで、折り曲げにより膨らんだ部分を、引張圧縮試験機（「テンシロンＲＴＧ−１２１０」；（株）エー・アンド・ディー製）を用いて、一定速度（２００ｍｍ／ｓｅｃ）でステンレス製ステージに圧し付けた。この作業を２０回繰り返し行った後、ＣＯＦを元の状態に戻して、導通抵抗を測定した。結果を表２に示す。
【００４８】
【表１】
2010199527.tif 000003
【００４９】
表１より、圧着前位置関係がＺ３であり、かつ圧着後位置関係がＺ２である本発明の接合体は、導通信頼性が良好であることが判った。
異方性導電フィルムＶ１は、最低溶融粘度が低いため、ブロッキングが発生し易く、はみ出し試験では、１００Ｍ品の評価が「ＮＧ」であった。
異方性導電フィルムＴ１は厚みが薄いため、また、異方性導電フィルムＶ３は、最低溶融粘度が高いため、異方性導電フィルムＴ１及びＶ３の一端（Ｂ）が、ＣＯＦにおけるソルダーレジスト領域の端部（Ｃ）まで流動する量が少なく、圧着後位置関係がＺ３となり、配線露出部が存在し、ショートが発生した。
【００５０】
【表２】
2010199527.tif 000004
【００５１】
表２より、圧着前位置関係が、Ｚ２、Ｚ３及びＺ６であると、圧着後位置関係がＺ２となり、導通信頼性に優れ、折曲げ試験の結果にも優れることが判った。
一方、圧着前位置関係が、Ｚ１、Ｚ４、Ｚ５及びＺ７であると、異方性導電フィルムＴ３を用いても、圧着後位置関係が、Ｚ１及びＺ３〜Ｚ７のいずれかとなった。
圧着後位置関係が、Ｚ１、Ｚ３、Ｚ５及びＺ６の場合、ＣＯＦ配線が露出しているため、ショートが発生しただけでなく、折曲げ試験でも強度不足でＣＯＦ配線の断線が発生し、導通不良が発生した。
また、圧着後位置関係がＺ４である場合、ＣＯＦにおけるソルダーレジスト層が、ＩＴＯコーティングガラス上に存在するため、これが段差となって、圧着時に接続部に充分な圧力が加わらず、導通不良が発生した。
更に、圧着後位置関係がＺ７である場合、ＣＯＦにおけるソルダーレジスト層に貼り付けられた異方性導電フィルムＴ３には、ヒートツールの熱が加わらないため、完全未硬化状態であり、折曲げ試験にて、配線を補強しきれずに断線が発生し、導通不良となった。
【００５２】
また、実施例２及び比較例２で得られた接合体について、端子に沿って断面研磨を行い、圧着後の位置関係を確認した。その断面写真を、図５Ａ〜図５Ｄに示す。
なお、図中、Ｓ／Ｒは、ソルダーレジストを表し、ＡＣＦは、異方性導電フィルムを表し、Ｇｌａｓｓは、ＩＴＯコーティングガラスを表す。
図５Ａ〜図５Ｄでは、それぞれ、Ｚ１、Ｚ２、Ｚ４、及びＺ５の位置関係を示していることが判った。
【産業上の利用可能性】
【００５３】
本発明の接合体の製造方法は、接続不良の発生を抑制し、導通信頼性に優れ、しかも耐久性が良好な接合体の製造に好適に使用可能である。本発明の接合体は、優れた導通信頼性及び耐久性を有する。
【符号の説明】
【００５４】
１０        基板
１２        第一の電極領域
２０        異方性導電フィルム
３０        配線材
３２        配線板
３２Ａ      レジスト領域
３２Ｂ      第二の電極領域
３４        レジスト層
【図１Ａ】
2010199527.tif 000005
【図１Ｂ】
2010199527.tif 000006
【図１Ｃ】
2010199527.tif 000007
【図２】
2010199527.tif 000008
【図３Ａ】
2010199527.tif 000009
【図３Ｂ】
2010199527.tif 000010
【図３Ｃ】
2010199527.tif 000011
【図３Ｄ】
2010199527.tif 000012
【図３Ｅ】
2010199527.tif 000013
【図３Ｆ】
2010199527.tif 000014
【図３Ｇ】
2010199527.tif 000015
【図４Ａ】
2010199527.tif 000016
【図４Ｂ】
2010199527.tif 000017
【図４Ｃ】
2010199527.tif 000018
【図４Ｄ】
2010199527.tif 000019
【図４Ｅ】
2010199527.tif 000020
【図４Ｆ】
2010199527.tif 000021
【図４Ｇ】
2010199527.tif 000022
【図５Ａ】
2010199527.tif 000023
【図５Ｂ】
2010199527.tif 000024
【図５Ｃ】
2010199527.tif 000025
【図５Ｄ】
2010199527.tif 000026